(57)【特許請求の範囲】
【請求項１】
物品を包装材料または包装袋で包装した包装体であって、
前記包装材料または前記包装袋の内外を仕切るように、該包装材料または該包装袋を開封可能に加圧して閉じた帯状または線状のシール部を、前記内外方向に互いに間隔をおいて複数本備えると共に、
前記包装材料または前記包装袋における前記シール部同士の間の部分を開封および再封可能に接着剤で閉じた帯状または線状の接着部を備え、
前記シール部は、表面に前記内外方向に並ぶ凹凸を有し、
前記接着部は、前記シール部の山部より低い位置に設けられる、
ることを特徴とする、
包装体。
【請求項２】
前記接着部は、前記包装材料または前記包装袋を加圧せずに閉じた非加圧状態の部位であることを特徴とする、
請求項１に記載の包装体。
【請求項３】
前記シール部を３本以上備えると共に、
前記接着部を複数本備えることを特徴とする、
請求項１または２に記載の包装体。
【請求項４】
前記物品を、連続的に供給される前記包装材料でピロー包装したピロー包装体であって、
前記シール部は、前記包装材料を幅方向に横シールした横シール状態の部位であり、
前記接着部は、前記横シール状態の部位同士の間に生じた部位であることを特徴とする、
請求項１〜３のいずれかに記載の包装体。
【請求項５】
包装材料または包装袋の内外を仕切るように、該包装材料または該包装袋を開封可能に加圧して閉じた帯状または線状のシール部を、前記内外方向に互いに間隔をおいて複数本備えると共に、前記包装材料または前記包装袋における前記シール部同士の間の部分を開封および再封可能に接着剤で閉じた帯状または線状の接着部を備えた包装体を製造する包装機であって、
前記接着部となる部分に前記接着剤を介在させた状態の前記包装材料または前記包装袋を、互いに向き合う帯状の対向面で挟み込んで閉じるシール手段を備え、
前記対向面は、前記包装材料または前記包装袋における前記接着部となる部分に対応するように、該対向面の長手方向に沿った溝を有することを特徴とする、
包装機。
【発明の詳細な説明】
【技術分野】
【０００１】
本発明は、物品を包装材料または包装袋で包装した包装体、および物品を包装材料または包装袋で包装して包装体を製造する包装機に関する。
【背景技術】
【０００２】
食品や日用品などの物品をピロー包装する包装ラインでは、物品がピロー包装機に次々と供給され、フィルムなどの包装材料によって個別にピロー包装されてピロー包装体が製造される。
【０００３】
具体的に、ピロー包装機に物品が順次供給されることに合わせて、フィルムなどの包装材料が連続して供給され筒状に製袋される。包装材料が筒状に製袋される過程において当該包装材料に物品が順次供給される。次いで、包装材料の両側縁部がセンターシールされる。それから、所定ピッチ毎に包装材料の幅方向に圧着による横シール（エンドシール）とカットとが行われ、ピロー包装体が製造される。
【０００４】
このようなピロー包装体では、横シールされた横シール部から開封することで、内包する物品を取り出せる。また、特許文献１，２に記載されたピロー包装体のように、再封性を有し、一旦開封された口を再び閉じることを可能にしたものがある。
【０００５】
具体的に、再封性を有するピロー包装体は、圧着によって横シールされた横シール部と、この横シール部の内側に近接する位置に、当該横シール部に平行に形成された接着剤の層と、を備えている。このような再封性を有するピロー包装体によれば、一旦開封された口を、接着剤によって再封できる。
【先行技術文献】
【特許文献】
【０００６】
【特許文献１】特許第３３１１６５２号公報（段落［００１２］および図２参照）
【特許文献２】特許第３３１６１６８号公報（段落［００１４］および図３参照）
【発明の概要】
【発明が解決しようとする課題】
【０００７】
しかしながら、特許文献１，２に記載されたピロー包装体では、ピロー包装されている物品が、焼き菓子など、粉や欠片などの屑が発生する物品である場合、接着剤に屑が付着して再封性が低下するなどの問題がある。
【０００８】
このような問題は、ピロー包装体の場合に限らず、三方シール包装体や四方シール包装体、あるいは、物品を包装袋で包装した包装体などの各種包装体に適用した場合に共通して存在し得る。
【０００９】
本発明は、上記課題を鑑みてなされたものであり、再封性が低下することを防止した包装体、並びに、このような包装体を製造する包装機を提供することを目的とする。
【課題を解決するための手段】
【００１０】
（１）本発明は、物品を包装材料または包装袋で包装した包装体であって、前記包装材料または前記包装袋の内外を仕切るように、該包装材料または該包装袋を開封可能に加圧して閉じた帯状または線状のシール部を、前記内外方向に互いに間隔をおいて複数本備えると共に、前記包装材料または前記包装袋における前記シール部同士の間の部分を開封および再封可能に接着剤で閉じた帯状または線状の接着部を備え、前記シール部は、表面に前記内外方向に並ぶ凹凸を有し、前記接着部は、前記シール部の山部より低い位置に設けられる、ことを特徴とする、包装体である。
【００１１】
本発明によれば、包装材料または包装袋の接着部の内包部側にシール部が設けられているので、開封前の状態において、物品が接着部に触れたり、物品の屑が接着部の接着剤に付着したりすることが防止される。結果、再封性が低下することが防止される。
【００１３】
また、シール部が、表面に凹凸を有しているので、開封した口から取り出される物品を、シール部の凹凸によって接着部から離隔できる。これにより、当該物品が接着部に触れることが更に防止される。このため、開封した口から物品が取り出しにくくなることが更に防止される。ひいては、物品の屑が接着部の接着剤に付着することが更に防止される。結果、再封性が低下することが更に防止される。
【００１４】
（２）本発明はまた、前記接着部は、前記包装材料または前記包装袋を加圧せずに閉じた非加圧状態の部位であることを特徴とする、上記（１）に記載の包装体である。
【００１５】
上記発明によれば、加圧せずに接着部が形成されるので、接着部の面積当たりの接着剤の分量が少なくなりすぎることを防止できる。これにより、接着力の低下を防止できる。結果、再封性が低下することが更に防止される。
【００１６】
（３）本発明はまた、前記シール部を３本以上備えると共に、前記接着部を複数本備えることを特徴とする、上記（１）または（２）に記載の包装体である。
【００１７】
上記発明によれば、いずれかの接着部の接着剤に物品の屑が付着した場合であっても、他の接着部が十分に機能するので、再封性は低下しない。すなわち、接着部を複数本備えていることで、再封性が低下することが更に防止される。
【００１８】
（４）本発明はまた、前記物品を、連続的に供給される前記包装材料でピロー包装したピロー包装体であって、前記シール部は、前記包装材料を幅方向に横シールした横シール状態の部位であり、前記接着部は、前記横シール状態の部位同士の間に生じた部位であることを特徴とする、上記（１）〜（３）のいずれかに記載の包装体である。
【００１９】
（５）本発明はまた、包装材料または包装袋の内外を仕切るように、該包装材料または該包装袋を開封可能に加圧して閉じた帯状または線状のシール部を、前記内外方向に互いに間隔をおいて複数本備えると共に、前記包装材料または前記包装袋における前記シール部同士の間の部分を開封および再封可能に接着剤で閉じた帯状または線状の接着部を備えた包装体を製造する包装機であって、前記接着部となる部分に前記接着剤を介在させた状態の前記包装材料または前記包装袋を、互いに向き合う帯状の対向面で挟み込んで閉じるシール手段を備え、前記対向面は、前記包装材料または前記包装袋における前記接着部となる部分に対応するように、該対向面の長手方向に沿った溝を有することを特徴とする、包装機である。
【発明の効果】
【００２０】
本発明の上記（１）〜（４）に記載の包装体、および上記（５）に記載の包装機によれば、再封性が低下することを防止できる。
【図面の簡単な説明】
【００２１】
【図１】本発明の第１実施形態に係るピロー包装体の外観斜視図である。
【図２】第１実施形態に係るピロー包装体の断面図である。
【図３】第１実施形態に係るピロー包装体を製造するピロー包装機の概略図であり、（Ａ）はシール前の状態を示し、（Ｂ）はシール後の状態を示す。
【図４】第２実施形態に係るピロー包装体の外観斜視図である。
【図５】第２実施形態に係るピロー包装体の断面図である。
【発明を実施するための形態】
【００２２】
以下、図面を参照して、本発明の第１実施形態および第２実施形態に係るピロー包装体について詳細に説明する。
【００２３】
［第１実施形態］まず、図１および図２を用いてピロー包装体１０の構成について説明する。図１は、ピロー包装体１０の外観斜視図である。図２は、ピロー包装体１０の断面図である。なお、本図および以降の各図において、一部の構成を適宜省略して、図面を簡略化する。そして、本図および以降の各図において、部材の厚みを誇張して表現する。また、断面図においては、ハッチングを省略して、図面を簡略化する。
【００２４】
図１および図２に示すピロー包装体１０は、ピロー包装機２０（図３（Ａ）および図３（Ｂ）参照）において、物品ＸＡ１を包装材料ＹＡ１で包装することで製造される。包装材料ＹＡ１は、筒状に製袋されてから潰されることで、互いに対向する部分が貼り付くように横シールされる。また、包装材料ＹＡ１は、互いに対向する少なくとも一方における接着部１６となる部分に接着剤１６ａを有する。
【００２５】
具体的に、ピロー包装機２０には、物品ＸＡ１が順次供給されることに合わせて、フィルムなどの包装材料ＹＡ１が連続して供給され筒状に製袋される。包装材料ＹＡ１が筒状に製袋される過程において当該包装材料ＹＡ１に物品ＸＡ１が順次供給される。具体的に、物品ＸＡ１は、包装材料ＹＡ１における、シール部１５が形成される予定の位置と、シール部１７が形成される予定の位置と、の間に供給される。次いで、包装材料ＹＡ１の両側縁部がセンターシールされる。それから、所定ピッチ毎に包装材料ＹＡ１の幅方向に圧着による横シール（エンドシール）とカットとが行われ、ピロー包装体１０が製造される。
【００２６】
上述のように、ピロー包装体１０は、物品ＸＡ１を包装材料ＹＡ１で包装したものである。包装材料ＹＡ１は、物品ＸＡ１を内包する内包部１１と、この内包部１１の両側に形成されている一対の耳部１２，１３と、を備えている。
【００２７】
内包部１１は、センターシールされたセンターシール部（図示省略）と、一対の耳部１２，１３と、によって閉じられて、内包する物品ＸＡ１を包装材料ＹＡ１の外と隔てる。
【００２８】
一方の耳部１２は、帯状を呈し、開封および再封可能な構成となっている。具体的に、耳部１２は、包装材料ＹＡ１の内外を仕切るように、シール部１４，１５と、接着部１６と、を備えている。
【００２９】
シール部１４，１５は、包装材料ＹＡ１を幅方向に加圧して閉じることで開封可能に形成される。これらのシール部１４，１５は、包装材料ＹＡ１における表面に面外方向の凹凸を有する帯状または線状を呈し、包装材料ＹＡ１の内外方向に互いに間隔をおいて、外側から順に形成されている。
【００３０】
接着部１６は、シール部１４，１５が形成されると同時に形成される。具体的に、接着部１６は、包装材料ＹＡ１を加圧せずに閉じる非加圧の処理によって接着剤１６ａで閉じることで開封および再封可能に形成される。この接着部１６は、帯状または線状を呈し、包装材料ＹＡ１におけるシール部１４，１５同士の間の部分に形成されている。また、接着部１６は、シール部１４，１５の山部より低い位置に形成されている。なお、接着部１６は、シール部１４，１５との間を空けずに間隔を詰めて形成されていることが好ましい。
【００３１】
他方の耳部１３は、帯状を呈し、開封可能で再封不能な構成となっている。具体的に、耳部１３は、包装材料ＹＡ１の内外を仕切るように、シール部１７を備えている。
【００３２】
シール部１７は、包装材料ＹＡ１を幅方向に加圧して閉じることで開封可能に形成される。このシール部１７は、帯状を呈する。
【００３３】
次に、ピロー包装体１０の作用について、図１および図２に基づいて説明する。
【００３４】
ピロー包装体１０は、センターシール部における耳部１２に近い部分と、当該部分に対応する内包部１１の反対側の部分と、が摘ままれた状態で、互いに離隔する方向に引っ張られることで、耳部１２から開封される。すなわち、シール部１４，１５および接着部１６が開かれる。これにより、耳部１２から物品ＸＡ１が出し入れできる。
【００３５】
耳部１２から開封されているピロー包装体１０は、耳部１２が包装材料ＹＡ１の幅方向に沿って表裏で摘ままれることで、再封される。すなわち、接着剤１６ａの接着力により、接着部１６が閉じられる。
【００３６】
次に、図３（Ａ）および図３（Ｂ）を用いて、ピロー包装体１０を製造するピロー包装機２０の構成について説明する。図３（Ａ）は、ピロー包装機２０の概略図であり、シール前の状態を示す。図３（Ｂ）は、ピロー包装機２０の概略図であり、シール後の状態を示す。
【００３７】
図３（Ａ）および図３（Ｂ）に示すピロー包装機２０は、シール手段２１を備えている。このシール手段２１は、物品ＸＡ１を内包しつつ筒状に製袋された包装材料ＹＡ１を、所定ピッチ毎に上下に挟み込んで幅方向に閉じると共にカットして、ピロー包装体１０を製造する。なお、包装材料ＹＡ１は、接着部１６となる部分に接着剤１６ａを介在させた状態で、包装機２０に連続して供給される。
【００３８】
接着剤１６ａは、横シール時において、シーラー２２，２３の熱、および圧力が加わると本シールされてしまい、ピロー包装体１０を開封後に、当該ピロー包装体１０を再封することができなくなってしまう。そこでシーラー２２，２３には、シール時に当該シーラー２２，２３の熱、および圧力が加わらないよう逃げ溝２２ｂ，２３ｂが形成されている。
【００３９】
具体的に、シール手段２１は、一対のシーラー２２，２３を備えている。これら一対のシーラー２２，２３は、包装材料ＹＡ１の上方および下方に対向するように、当該シーラー２２，２３の長手方向を包装材料ＹＡ１の幅方向に沿って配置されている。一対のシーラー２２，２３は、互いに向き合う帯状の対向面２２ａ，２３ａを有する。
【００４０】
対向面２２ａ，２３ａは、当該対向面２２ａ，２３ａの長手方向に沿って形成された逃げ溝２２ｂ，２３ｂと、これらの逃げ溝２２ｂ，２３ｂと平行に形成されたカッター溝２２ｃ，２３ｃと、を有する。
【００４１】
逃げ溝２２ｂ，２３ｂは、包装材料ＹＡ１を対向面２２ａ，２３ａで挟み込んだ際に、当該包装材料ＹＡ１における接着部１６となる部分に対応する。一方のカッター溝２２ｃには、包装材料ＹＡ１をカットするカッター２４が、他方のカッター溝２３ｃに向けてスライド可能に設けられる。カッター２４のスライドは、シリンダー（図示省略）によって行われる。
【００４２】
このようなシール手段２１は、往復式、ボックスモーションタイプ、回転式のいずれの駆動方式であってもよい。
【００４３】
このように、ピロー包装体１０によれば、包装材料ＹＡ１の接着部１６の内包部１１側にシール部１５が設けられているので、開封前の状態において、物品ＸＡ１が接着部１６に触れたり、物品ＸＡ１の屑が接着部１６の接着剤１６ａに付着したりすることが防止される。結果、再封性が低下することが防止される。
【００４４】
そして、シール部１４，１５が、表面に凹凸を有しているので、開封した口から取り出される物品ＸＡ１を、シール部１４，１５の凹凸によって接着部１６から離隔できる。これにより、当該物品ＸＡ１が接着部１６に触れることが更に防止される。このため、開封した口から物品ＸＡ１が取り出しにくくなることが更に防止される。ひいては、物品ＸＡ１の屑が接着部１６の接着剤１６ａに付着することが更に防止される。結果、再封性が低下することが更に防止される。
【００４５】
また、加圧せずに接着部１６が形成されるので、接着部１６の面積当たりの接着剤１６ａの分量が少なくなりすぎることを防止できる。これにより、接着力の低下を防止できる。結果、再封性が低下することが更に防止される。
【００４６】
本発明は、上記実施形態に限られるものではなく、その趣旨および技術思想を逸脱しない範囲で種々の変形が可能である。
【００４７】
すなわち、上記実施形態において、各構成の位置、大きさ、形状、材質、向き、数量などは適宜変更できる。例えば、包装形態は、ピロー包装体の場合に限らず、本発明は、三方シール包装体や四方シール包装体、あるいは、物品ＸＡ１を包装袋で包装した包装体などの各種包装体に適用できる。
【００４８】
あるいは、上記実施形態において、ピロー包装体１０は、一方の耳部１２が開封および再封可能な構成となって、かつ、他方の耳部１３が開封可能で再封不能な構成となっているが、両方の耳部が開封および再封可能な構成となっていてもよい。
【００４９】
あるいは、上記実施形態において、シール部１４，１５が有する凹凸は、山谷が連続する形状であるが、本発明はこれに限定されず、ゴザ目であってもよい。
【００５０】
あるいは、上記実施形態において、ピロー包装機２０は、横型充填包装機に限定されず、縦型充填包装機であってもよい。
【００５１】
あるいは、上記実施形態において、耳部１２は、２本のシール部１４，１５と、１本の接着部１６と、を備えているが、本発明はこれに限定されず、耳部は、３本以上のシール部と、複数本の接着部と、を備えていればよい。具体例は、次の第２実施形態で説明する。
【００５２】
［第２実施形態］次に、図４および図５を用いてピロー包装体３０の構成について説明する。図４は、ピロー包装体３０の外観斜視図である。図５は、ピロー包装体３０の断面図である。なお、ここでは、ピロー包装体３０の特徴部分のみを説明し、ピロー包装体１０と同様の構成、作用、および効果についての説明は省略する。
【００５３】
ピロー包装体３０は、内包部３１と、一対の耳部３２，３３と、を備えている。
【００５４】
一方の耳部３２は、シール部３４，３５，３６と、接着部３７，３８と、を備えている。シール部３４，３５，３６は、包装材料ＹＡ１の内外方向に互いに間隔をおいて、外側から順に形成されている。
【００５５】
接着部３７は、包装材料ＹＡ１を接着剤３７ａで閉じることで形成される。この接着部３７は、包装材料ＹＡ１におけるシール部３４，３５同士の間の部分に形成されている。接着部３８は、包装材料ＹＡ１を接着剤３８ａで閉じることで形成される。この接着部３８は、包装材料ＹＡ１におけるシール部３５，３６同士の間の部分に形成されている。他方の耳部３３は、シール部３９を備えている。
【００５６】
このように、ピロー包装体３０によれば、いずれかの接着部３７，３８の接着剤３７ａ，３８ａに物品ＸＡ１の屑が付着した場合であっても、他の接着部３７，３８が十分に機能するので、再封性は低下しない。すなわち、複数本の接着部３７，３８を備えていることで、再封性が低下することが更に防止される。
【符号の説明】
【００５７】
１０  ピロー包装体
１４，１５  シール部
１６  接着部
１６ａ  接着剤
２０  ピロー包装機
２１  シール手段
２２ａ，２３ａ  対向面
２２ｂ，２３ｂ  逃げ溝
３０  ピロー包装体
３４，３５，３６  シール部
３７，３８  接着部
３７ａ，３８ａ  接着剤
ＸＡ１  物品
ＹＡ１  包装材料
【図１】
0005959192.tif 000002
【図２】
0005959192.tif 000003
【図３】
0005959192.tif 000004
【図４】
0005959192.tif 000005
【図５】
0005959192.tif 000006